(57)【要約】【課題】データ記憶カートリッジならびに改ざんおよび損傷記録センサを備えたシステムを提供する。【解決手段】データ記憶カートリッジが記載される。データ記憶カートリッジは筐体と、データ記憶媒体と、メモリモジュールと、少なくとも１つのセンサとを含む。筐体は相互に噛合して閉鎖領域を形成する第１および第２の筐体部を画定する。データ記憶媒体およびメモリモジュールは閉鎖領域内に配置され、センサは閉鎖領域内に配置されるとともにメモリモジュールに電気的に結合されている。この点に関してセンサはカートリッジイベントを感知するように構成され、メモリモジュールはセンサと通信して感知したカートリッジイベントを記録する。【選択図】図１
2006114211.tif 000002
【特許請求の範囲】
【請求項１】
相互に噛合して閉鎖領域を形成する第１および第２の筐体部を画定する筐体と、
前記閉鎖領域内に配置されたデータ記憶媒体と、
前記閉鎖領域内に配置されたメモリモジュールと、
前記閉鎖領域内に配置されるとともに前記メモリモジュールに電気的に結合された少なくとも１つのセンサとを備え、
前記少なくとも１つのセンサがカートリッジイベントを感知するように構成され、
前記メモリモジュールが前記少なくとも１つのセンサと通信して前記感知したカートリッジイベントを記録する、データ記憶カートリッジ。
【請求項２】
前記データ記憶媒体がテープリールの周囲に巻き付けられた磁気データ記憶テープを含む、請求項１に記載のデータ記憶カートリッジ。
【請求項３】
前記メモリモジュールに電気的に結合された電源と、
前記メモリモジュールに電気的に結合されるとともに前記感知したカートリッジイベントをデータとして実行記録内に記録するように構成されたメモリチップとをさらに備える、請求項１に記載のデータ記憶カートリッジ。
【請求項４】
前記メモリモジュールが、タイムスタンプを前記感知したカートリッジイベントと関連付けるように構成されている、請求項１に記載のデータ記憶カートリッジ。
【請求項５】
前記メモリモジュールが無線周波数メモリモジュールである、請求項１に記載のデータ記憶カートリッジ。
【請求項６】
前記メモリモジュールが、前記記録した感知カートリッジイベントを前記筐体の外部の読取り装置に無線で通信するように構成されたアンテナを含む、請求項１に記載のデータ記憶カートリッジ。
【請求項７】
前記カートリッジイベントが、カートリッジ温度、湿度、磁気外乱、加速、衝撃、応力、振動、筐体開放、前記データ記憶媒体からの読み取り、前記データ記憶媒体への書き込み、および前記メモリモジュールの読み取りのうちの少なくとも１つを含む、請求項１に記載のデータ記憶カートリッジ。
【発明の詳細な説明】
【技術分野】
【０００１】
本発明はデータ記憶カートリッジに関し、詳細にはイベントを感知するとともに実行記録を生成可能なデータ記憶カートリッジに関する。
【背景技術】
【０００２】
コンピュータ、オーディオ、およびビデオ分野においてデータ記憶カートリッジが数十年間使用されてきた。データ記憶カートリッジは大量の情報を記録し、その後検索して使用するための一般的な装置であり続けている。
【０００３】
データ記憶カートリッジは通常データ記憶媒体を保持する外殻または筐体で構成されている。この点に関してデータ記憶媒体には磁気データ記憶テープ、磁気ディスク、光テープ、および光ディスクがある。データ記憶カートリッジの１つの一般的な例は、少なくとも１つのテープリールアセンブリと、ある長さの磁気記憶テープとを保持する筐体を含む。記憶テープはテープリールアセンブリのハブ部分の周囲に巻き付けられ、テープドライブシステムにより規定された経路を介して駆動される。筐体は普通別体のカバーと別体のベースとを含む。カバーおよびベースは共に、先端部で開口（または窓）を形成する。読み取り／書き込みヘッドによる記憶テープへのアクセスはデータ記憶テープカートリッジのテープドライブへの挿入により開始する。記憶テープとヘッドとの間の相互作用はミッドテープロード設計の場合筐体内で生じる。逆に記憶テープとヘッドとの間の相互作用はヘリカルドライブ設計の場合筐体外で生じる。テープカートリッジ／ドライブシステムを記憶テープが筐体から離れるように向けて設計する場合、データ記憶テープカートリッジは普通始端ブロック設計を用いた単一テープリールアセンブリを含む。代替的にはテープカートリッジ／ドライブシステムを筐体内でヘッド／記憶テープ相互作用を提供するように設計する場合、通例二重テープリール構成が用いられる。
【０００４】
特定のデータ記憶テープカートリッジに関連するテープリールアセンブリの数に関係なく、各カートリッジは少なくとも１本の磁気記憶テープを含む。この点に関して磁気記憶テープは少なくとも一方側に磁性分散液が塗布されたベース基材（通例高分子膜、例えばポリエチレンナフタレート）を含む。磁性分散液は乾燥すると磁界に影響を受け、情報を磁気的に記録するように構成されている。これを念頭に置くと磁気記憶テープは磁気的に書き込まれたデータを受容することに加えて、磁気的に干渉される恐れもある。例えば強力な磁界は記憶テープに記憶された磁気情報を破壊または上書きする恐れがある。さらにまたデータ記憶テープカートリッジを手荒く扱うとカートリッジまたは記憶テープ上の磁気コーティングの一部分を損なう恐れがある。このため、カートリッジまたは記憶テープが損傷を受けると記憶テープに記憶されたデータが失われる（すなわち回復不能になる）可能性がある。
【０００５】
場合によっては、記憶テープおよび／またはカートリッジの損傷はユーザにとって識別できない。具体的には、エンドユーザまたは消費者が気付かずに磁気記憶テープが損傷を受けた場合、データが不注意に失われると言われている。例えば消費者がデータを記憶テープに記録し、知らずにそのカートリッジを強力な磁界内、例えば磁石の近くに置く場合もある。この状況では記憶テープに記憶されたデータが強力な磁界により消去されるため消費者がデータが失われた事実に気付くことがある。後で消費者が一度記憶したデータを検索しようとする場合、消費者はデータが損傷を受けた、または検索不能であることに気付くだろう。
【０００６】
さらにデータ記憶テープカートリッジも搬送、保管時に、およびエンドユーザの誤用により損傷を受ける恐れがある。例えば記憶テープ（およびそのデータ記憶能力）は高温への露出、落下による突然の衝撃、およびカートリッジの改ざんにより損傷を受ける場合がある。この点に関して当初すべての工業規格を満たす高品質データ記憶テープカートリッジであるものが、後に不適切な搬送、保管または取り扱いにより損傷を受けるまたは破壊される。これを念頭に置くとユーザはデータ記憶テープカートリッジが機能的であり将来のデータ記憶使用に備えるようにすることに関心がある。
【０００７】
他の場合メーカーはすべての工業規格を満たすデータ記憶テープカートリッジを製造して提供し、そのカートリッジが後にエンドユーザによる誤用または不注意によって損傷を受けまたは破壊される。例えば筐体構成要素の改ざん、カートリッジの落下、カートリッジ筐体を開いてデータ記憶テープを露出させること等はすべて記憶テープの情報記憶能力に損傷を与える恐れがある。このためメーカーは、データ記憶テープカートリッジが工業規格に準拠して製造されるとともに使用可能な状態で消費者に提供されるようにすることを望んでいる。
【０００８】
上記の説明を念頭に置くとメーカーおよび消費者は、データ記憶カートリッジがデータを記憶する際に有用であるとともに動作可能であることを期待している。メーカーはデータ記憶カートリッジのライフサイクル履歴の確認を望んでいる。同様に消費者はデータ記憶カートリッジが工業規格を満たすとともに、一旦書き込むとデータが検索可能であるように動作可能であるという保証を望んでいる。そのためメーカーおよび消費者にはデータ記憶カートリッジ実行および使用履歴の記録をコンパイルしてアクセスしたいという欲求がある。
【発明の開示】
【課題を解決するための手段】
【０００９】
本発明の一態様は、データ記憶カートリッジに関連する。データ記憶カートリッジは、筐体と、データ記憶媒体と、メモリモジュールと、少なくとも１つのセンサとを含む。筐体は相互に噛合して閉鎖領域を形成する第１および第２の筐体部を画定する。データ記憶媒体は閉鎖領域内に配置されている。メモリモジュールは閉鎖領域内に配置され、センサは閉鎖領域内に配置されるとともにメモリモジュールに電気的に結合されている。この点に関してセンサはカートリッジイベントを感知するように構成され、メモリモジュールはセンサと通信して感知したカートリッジイベントを記録する。
【００１０】
本発明の他の態様は、データ記憶装置に対する実行記録を生成するシステムに関連する。このシステムはデータ記憶カートリッジと読取り装置とを含む。データ記憶カートリッジは、筐体と、データ記憶媒体と、メモリモジュールと、少なくとも１つのセンサとを含む。この点に関して筐体は第１および第２の筐体部を画定し、筐体部が相互に噛合して閉鎖領域を形成する。データ記憶媒体およびメモリモジュールは閉鎖領域内に配置されている。センサは閉鎖領域内に配置され、および／またはメモリモジュールに電気的に結合されてカートリッジイベントを感知する。このためにメモリモジュールは感知したカートリッジイベントを実行記録内に記憶するように構成され、さらに読取り装置はメモリモジュールと通信して実行記録を読み取る。
【００１１】
本発明のさらに他の態様は、データ記憶装置に対する実行記録を生成する方法に関連する。この方法はデータ記憶カートリッジを設けるステップを含む。この点に関してデータ記憶カートリッジは筐体と、データ記憶媒体と、メモリモジュールと、少なくとも１つのセンサとを含む。筐体は第１および第２の筐体部を画定し、筐体部が相互に噛合して閉鎖領域を形成する。データ記憶媒体およびメモリモジュールは閉鎖領域内に配置されている。センサは閉鎖領域内に配置され、および／またはメモリモジュールに電気的に結合されている。この方法は少なくとも１つのセンサでカートリッジイベントを感知するステップと、感知したカートリッジイベントをメモリモジュール内にデータとして実行記録内に記憶するステップとをさらに含む。この方法は最後にデータ記憶テープカートリッジの外部に位置する読取り装置で実行記録データを読み取るステップを含む。
【００１２】
以下の図面を参照することにより本発明の実施形態をよりよく理解されよう。図面の要素は必ずしも相対的な縮尺になってはいない。同様な参照符号は対応する同様な部分を示す。
【発明を実施するための最良の形態】
【００１３】
本発明の様々な実施形態の有用性および利点を一般にはデータ記憶カートリッジで実施することができる。これに関して一般的なデータ記憶カートリッジは、閉鎖領域を画定する筐体と、閉鎖領域内に配置されたデータ記憶媒体とメモリモジュールと、閉鎖領域内に配置されるとともにメモリモジュールに電気的に結合された少なくとも１つのセンサとを含む。有用なデータ記憶カートリッジ、データ記憶媒体、およびメモリモジュールの特定例を以下に説明する。特定例はデータ記憶カートリッジの当業者には容易に明らかであるように、本発明の有用な実施形態のいくつかのみを図示している。そのため以下の例は単に例証であり、本発明の範囲を限定しようとするものではない。
【００１４】
上記の説明を念頭に置くと本発明の一実施形態による代表的データ記憶カートリッジを単一リールデータ記憶テープカートリッジの形状で図示するとともに図１の２０で示す。一般にデータ記憶テープカートリッジ２０は筐体２２と、ブレーキアセンブリ２４と、テープリールアセンブリ２６と、記憶テープ２８と、メモリモジュール３０と、１つ以上のセンサ３２と、メモリモジュール３０および／または１以上のセンサ３２に通電するための電源３３とを含む。テープリールアセンブリ２６は筐体２２内に配置されている。そして記憶テープ２８はテープリールアセンブリ２６の周囲に巻き付けられているとともに、始端ブロック３６に取り付けられた始端３４を含む。参考として単一リールデータ記憶テープカートリッジが示されているが、本発明は二重リールカートリッジなどの他のカートリッジ構成に同等に適用可能である。
【００１５】
筐体２２は典型的なテープドライブ（図示せず）への挿入に適した大きさに形成されている。そのため筐体２２はおよそ１２５ｍｍ×１１０ｍｍ×２１ｍｍの大きさを呈するが他の寸法も同様に適用可能である。これを念頭に置くと筐体２２は第１の筐体部４０と第２の筐体部４２とを画定している。一実施形態では第１の筐体部４０はカバーを形成し、第２の筐体部４２はベースを画定する。明細書を通して「カバー」「ベース」「上方」「下方」「上部」「底部」等などの方向に関する用語を用いて様々な例を説明するが限定するものではないことは理解されよう。
【００１６】
第１および第２の筐体部４０および４２はそれぞれ互いに対して相互に噛合して閉鎖領域４４を形成する大きさに形成されているとともに、テープアクセス窓４８を形成するために角度を付けることが好ましい１つの角部４６を除いて概して矩形である。テープアクセス窓４８は、始端ブロック３６がテープアクセス窓４８から取り外されて読み取り／書き込み動作のためにテープドライブシステム（図示せず）に通された時に、記憶テープ２８が筐体２２から出るための開口を形成している。逆に始端ブロック３６がテープアクセス窓４８に収納された時は、テープアクセス窓４８は覆われる。
【００１７】
テープアクセス窓４８の一部分の形成に加えて、第２の筐体部４２は中心開口５０も形成している。中心開口５０はテープドライブのドライブチャック（いずれも図示せず）によるテープリールアセンブリ２６へのアクセスを容易にする。使用中ドライブチャックは中心開口５０に進入し、テープリールアセンブリ２６を回転させる前にブレーキアセンブリ２４を分離して記憶テープ２８にアクセスする。ブレーキアセンブリ２４は当該技術では周知のタイプであり、一般にテープリールアセンブリ２６内に同軸配置されたブレーキ本体５２とばね５４とを含んでいる。データ記憶テープカートリッジ２０が休止時にはブレーキアセンブリ２４はブレーキインターフェース５６と係合してテープリールアセンブリ２６を筐体２２に選択的に「係止する」。
【００１８】
テープリールアセンブリ２６はハブ６０と、上部フランジ６２と、下部フランジ６４とを含む。ハブ６０は周囲に記憶テープ２８が巻き付けられるテープ巻取面（記憶テープ２８があるため図１では見えない）を画定する。フランジ６２、６４は随意である。例えば一実施形態では記憶テープ２８はフランジレスハブの周囲に巻き付けられ、テープリールアセンブリ２６はフランジレスハブのみを備えるようになっている。フランジ６２、６４を設ける場合、これらはハブ６０の対向端に結合されてハブ６０から半径方向に延びる。フランジ６２、６４は記憶テープ２８の幅を若干上回る距離離れていることが望ましい。このようにフランジ６２、６４は記憶テープ２８をハブ６０上に巻き付けられる際に案内し且つ揃えるように構成されている。
【００１９】
記憶テープ２８は当技術では一般に周知のタイプの磁気テープであることが好ましい。例えば記憶テープ２８は、一方側に適切なバインダ系内に分散した磁気材料層が塗布され、他方側に適切なバインダ系内に分散した導電材料が塗布された平衡ポリエチレンナフタレート（ＰＥＮ）系基材であってもよい。許容できる磁気テープは例えばミネソタ州オークデールのイメーション・コーポレーション（Ｉｍａｔｉｏｎ  Ｃｏｒｐ．（Ｏａｋｄａｌｅ，ＭＮ））から入手可能である。
【００２０】
始端ブロック３６は、カートリッジ２０の収納時はテープアクセス窓４８を覆うとともに、読み取り／書き込み動作のための記憶テープ２８の検索を容易にする。一般的に言えば始端ブロック３６は、筐体２２の窓４８に適合するとともに、テープドライブが記憶テープ２８を読み取り／書き込みヘッドに送達する際に操作するための把持面を提供することにより、テープドライブ（図示せず）と協働する形状をしている。この点に関して始端ブロック３６をダンベル形状ピンなどの他の構成要素と交換することができる。さらに始端ブロック３６または同様の構成要素は二重リールカートリッジ設計の場合のようにすべて排除することができる。
【００２１】
参考としてテープリールアセンブリ２６および記憶テープ２８をデータ記憶媒体の一形態として上述した。しかしデータ記憶媒体の他の形態が同様に容認可能であることは理解されよう。例えばデータ記憶媒体は磁気ディスク、光テープ、光ディスク、および閉鎖領域４４内に配置するように構成された任意の不揮発性データ記憶装置を含み得る。
【００２２】
図２は閉鎖領域４４内に配置されたメモリモジュール３０と、センサ３２と電源３３とを示す第２の筐体部４２の平面図である。電源３３は電気リード線６６によってメモリモジュールに電気的に結合されている。一実施形態において電源３３は電池、例えばリチウム電池であり、カートリッジイベントが感知された場合にメモリモジュール３０および／またはセンサ３２に通電するように構成されている。好適な実施形態では電源３３は寿命サイクルにわたってカートリッジ２０に電力を供給する再充電式電池である。ただし再充電式電池はデータが記憶テープ２８から読み出された場合、および／または以下に説明するようにデータがメモリモジュール３０から読み出された場合、および／または特定の要求時間間隔で再充電される。代替実施形態ではセンサ３２は受動センサであるとともに、電源３３は随意であり設けられない。しかし参考として受動センサは通電されず、電源３３が無い場合、代替実施形態の受動センサは１回の読み取り、例えば出荷時にカートリッジ２０の落下により感知した衝撃の１回の読み取りが可能な「１回限り」センサである。これを念頭に置くと好適な実施形態では電源３３は電気リード線６６によりメモリモジュールに電気的に結合された再充電可能な電源である。
【００２３】
１つ以上のセンサ３２は多様な形状を取るとともに多様な機能を実行することができる。一実施形態においてセンサ３２は始端ブロック３６（図１）のテープアクセス窓４８からの取り外しを感知するドアセンサ７０と、記憶テープ２８（図１）の移動を感知するテープ回転センサ７２と、温度センサ７４と、加速センサ７６とを含む。センサ７０、７２、７４、７６は電気コネクタ７８によってメモリモジュール３０に電気的に結合されている。一般にセンサ７０、７２、７４、および７６は光センサ、機械的センサ、および／または超小型電子機械システム（ＭＥＭＳ）センサであり、閉鎖領域４４中の任意の位置に配置することができる。加速センサ７６に関しては、一実施形態において加速センサ７６はメモリモジュール３０上に直接配置されるとともに図２に示される図には見えない電気コネクタによって電気的に結合されている。これを念頭に置くとセンサ７０、７２、７４、および７６の図示の位置は可能な一配置構成を表しているが、センサ７０、７２、７４、および７６ならびに／もしくは閉鎖領域４４内のまたはカートリッジ２０（図１）上のさらなるセンサ３２のいくつかまたはすべてに対して他の配置構成が同様に容認可能であることは理解されよう。
【００２４】
電気コネクタ７８はメモリモジュール３０から、センサ７０、７２、７４、および７６のそれぞれ１つに延びている。一実施形態において電気コネクタ７８は金属ワイヤである。代替実施形態において電気コネクタ７８は印刷されており、導電性インクがメモリモジュール３０と、センサ７０、７２、７４、および７６のそれぞれ１つとの間に連続的に延びている。
【００２５】
図３は加速センサ７６を含む図２に図示されたメモリモジュール３０の平面図である。メモリモジュール３０はバッキング９０と、メモリチップ９２と、アンテナ９４とを含む。メモリモジュール３０は筐体２２（図１）の内部の、カートリッジ２０（図１）の可動部分の動作を妨害しない任意の位置に配置されている。バッキング９０はメモリチップ９２とアンテナ９４とを保持するように構成された基材である。これに関しては、バッキング９０はチップ９２およびアンテナ９４構成要素に対する支持体であり、一実施形態において硬質でありプリント回路基板バッキングと称される。代替実施形態においてバッキング９０は可撓性膜バッキングであり、バッキング９０を閉鎖領域４４（図１）に接着する前にチップ９２およびアンテナ９４構成要素がバッキング９０上に積層される。いずれにしてもバッキング９０はメモリモジュール３０を、バッキング９０からセンサ７０、７２、７４、および７６（図２）のそれぞれ１つに延びている電気コネクタ７８に結合するのに必要な電気的特長（パッド、金属めっき孔、ワイヤボンディング等など）を保持する。
【００２６】
メモリチップ９２はセンサ７０、７２、７４、および７６（図２）が生成したデータ（すなわち感知したカートリッジイベント）を電気的に記録且つ記憶する。メモリチップ９２はセンサ７０、７２、７４、および７６が感知したカートリッジイベントに日付をつけてタイムスタンプするように構成されているため、カートリッジイベントの時系列実行記録を構築する。このためにメモリチップ９２は、メモリを消去および再書き込みできるような読み取り／書き込みメモリ能力を有する電子メモリチップであることが好ましい。さらにメモリチップ９２は、電源「オフ」状態でも記憶データを保持する電子メモリチップであることが好ましい。一実施形態ではメモリチップ９２は、例えばオランダ国アイントホーヘンのフィリップス・セミコンダクターズ（Ｐｈｉｌｉｐｓ  Ｓｅｍｉｃｏｎｄｕｃｔｏｒｓ（Ｅｉｎｄｈｏｖｅｎ，Ｔｈｅ  Ｎｅｔｈｅｒｌａｎｄｓ））から入手可能なＥＥＰＲＯＭチップとして周知の、４キロバイト電気的消去可能プログラマブル読取り専用メモリ（ＥＥＰＲＯＭ）チップである。代替実施形態ではメモリチップ９２は、フィリップス・セミコンダクターズ（Ｐｈｉｌｉｐｓ  Ｓｅｍｉｃｏｎｄｕｃｔｏｒｓ）から入手可能な８キロバイトＥＥＰＲＯＭチップである。他の代替実施形態ではメモリチップ９２は大容量データ記憶用に構成され、３２キロバイトＥＥＰＲＯＭチップである。好適な実施形態ではメモリチップ９２は無線周波数識別（ＲＦＩＤ）タグで用いられる無線周波数メモリチップである。この実施形態ではチップ９２はメモリとの非接触アクセスを支援する無線周波数インターフェース（図示せず）を含んでいる。いずれにしてもメモリチップ９２はセンサ７０、７２、７４、および／または７６が感知したカートリッジイベントをデータとして実行記録に記録するように構成されている。
【００２７】
アンテナ９４は一実施形態ではメモリモジュール３０の外周の周囲に配置され、図３に三重に巻かれて示されている。つまりアンテナ９４はメモリモジュール３０の外周の周囲に配置されたコイル状アンテナである。好適な実施形態においてアンテナ９４はコイル状銅製無線周波数（ＲＦ）アンテナである。代替実施形態ではアンテナ９４はチップ９２上に一体化されている。いずれにしてもアンテナ９４の他の材料および多様な形状も容認可能であることは理解されよう。これを念頭に置くとＲＦアンテナ９４はメモリチップ９２に記憶された情報を通信するように構成されているためメモリモジュール３０はトランスポンダー・モジュールである。
【００２８】
図４は本発明の一実施形態によるデータ記憶装置用の実行記録を生成するシステム１００を図示している。システム１００はデータ記憶テープカートリッジ２０の形状のデータ記憶カートリッジを含むとともに、少なくとも１つのセンサ、例えばドアセンサ７０に電気的に結合されたメモリモジュール３０と、読取り装置１０２とを含む。好適な実施形態において読取り装置１０２はユーザ１０４により操作されて、データ記憶テープカートリッジ２０を開く必要なしに実行記憶を読み取るようになっている。メモリモジュール３０はアンテナ９４を含み、アンテナ９４は情報、例えばセンサ７０が感知してメモリチップ９２により記録且つ記憶されたカートリッジイベントを読取り装置１０２に通信するように構成されている。一実施形態においてメモリチップ９２に記憶された情報には感知されたカートリッジイベント、例えばカートリッジ温度、湿度、磁気外乱、加速、衝撃、応力、振動、カートリッジ筐体２２の開放、テープリールアセンブリ２６の回転、記憶テープ２８に対する読み取り／書き込み動作、およびメモリモジュール３０の読み取りなどがある。このために情報はメモリチップ９２により記憶されるとともに日時スタンプされて過去の実行およびデータ記憶テープカートリッジ２０の利用を表す実行記録を形成する。好適な実施形態においてアンテナ９４は実行記録データを無線周波数（ＲＦ）により無線（すなわち非接触）で読取り装置１０２に通信し、次に読取り装置１０２が電源３３を再充電する。これに関してメモリモジュール３０はトランスポンダーであり、読取り装置１０２は手持ち式ＲＦ送信機である。
【００２９】
周知のデータ記憶カートリッジとは異なり本発明のデータ記憶テープカートリッジ２０およびシステム１００は、実行記録に記憶されるカートリッジイベントを感知する少なくとも１つのセンサ、例えばセンサ７０、７２、７４、および７６と、実行記録データを読取り装置１０２に通信するように構成されたモジュール３０とを含んでいる。好適な実施形態において、メモリチップ９２は各感知カートリッジイベントを日時スタンプするため、ユーザ１０４は実行記録にアクセスして、カートリッジ２０が改ざんおよび／または損傷を生じるような状況下に置かれたかを判断することができるとともに、アンテナ９４は実行記録をカートリッジ２０の外部箇所に、好適には手持ち式ＲＦ読取り装置１０２に通信する。
【００３０】
図４を参照してデータ記憶装置に対する実行記録を生成する代表的なプロセスを説明する。再度データ記憶テープカートリッジ２０が示され、テープリールアセンブリ２６と、メモリモジュール３０と、少なくとも１つのセンサ、例えばドアセンサ７０とを保持する筐体２２を含んでいる。ドアセンサ７０はテープアクセス窓４８に隣接して配置されているとともに電気コネクタ７８によってメモリモジュール３０に電気的に結合されている。このためにドアセンサ７０は、テープアクセス窓４８内に適正に収納された始端ブロック３６の存在を感知するように構成されている。詳細にはドアセンサ７０は、読み取り／書き込み処理中にドライブシステム（図示せず）による始端ブロック３６のテープアクセス窓４８からの取り外しを感知するとともに、メモリチップ９２がそれを記録且つ日時スタンプする。この例において始端ブロック３６がテープアクセス窓４８内に無いことを感知することがカートリッジイベントであり、メモリチップ９２内に感知カートリッジイベントに関連するデータを記憶することがデータ記憶テープカートリッジ２０の前の使用を示す実行記録を生成する。
【００３１】
データ記憶テープカートリッジ２０の過去の実行および使用は実行記録内にコンパイルされたデータ形状で、メモリチップ９２によりメモリモジュール３０内に記憶される。好適な実施形態においてメモリチップ９２はカートリッジイベントを電子的に記録且つ日時スタンプすることにより記録をコンパイルし、それを検討することによってカートリッジ２０の改ざんおよび／または不正使用の証拠が得られる。ユーザ１０４は読取り装置１０２の使用により筐体２２を開けずに実行記録を選択的に読み取ることができる。
【００３２】
読取り装置１０２を用いて過去の使用を照会するとともにデータ記憶テープカートリッジ２０の実行記録を読み取ることができる。さらに読取り装置１０２は照会／読取中に電源３３を再充電する。特に一実施形態においてユーザ１０４は読取り装置１０２をカートリッジ２０に隣接配置してアンテナ９４から通信されたＲＦ信号を受信することができる。例えばセンサ７４はカートリッジ２０の局所温度を感知する温度センサである。メモリチップ９２は感知した温度のカートリッジイベント、例えば前年にわたるカートリッジ２０の温度を記録している。さらにメモリチップ９２はカートリッジ２０が選択値未満に温度降下したときに、またカートリッジ２０が同選択値を超えて温度上昇した時に記録および日時スタンプする。これらの温度データはメモリモジュール３０のメモリチップ９２に記憶され、日時スタンプされている場合、カートリッジ２０に対する温度データの時系列実行記録を形成する。同様にメモリモジュール３０は、様々なカートリッジイベントを感知する１つ以上のセンサ３２（図１）に対してある期間にわたってデータを記録且つコンパイルする。この記憶されたデータすなわち感知されたカートリッジイベントはメモリモジュール３０からアンテナ９４を介して読取り装置１０２に通信される。読取り装置１０２が感知カートリッジイベントをメモリモジュール３０から受信すると同時に、読取り装置１０２は例えばＲＦエネルギー伝達により電源３３を再充電する。
【００３３】
他の代表的照会において、データ記憶テープカートリッジ２０を使用の間は保管して、保管したカートリッジ２０へのアクセスを限定する。参考としてデータ記憶テープカートリッジ２０は、機密商業データまたは秘密政府データを記憶テープ２８に記憶するいわゆる「極秘」使用に適している。この代表的照会において、ユーザ１０４は記憶テープ２８に記憶されたデータへの限定アクセスが破られたかを判断する際に、記憶テープ２８への過去のアクセスの監視に関心を抱く。このために読取り装置１０２を用いて、記憶テープ２８への過去のアクセスをメモリモジュール３０に照会する。テープ回転センサ７２を任意の読み取り／書き込みプロセス中に発生し得る記憶テープ２８の移動を感知するように構成されたものとして説明したことを思い出されたい。従って読取り装置１０２がテープ回転センサ７２に関連する感知カートリッジイベントがあるかをメモリモジュール３０に照会する場合、読取り装置１０２は基本的にはテープリールアセンブリ２６の回転および移動および／または記憶テープ２８への前のアクセスを監視している。このように読取り装置１０２を用いるユーザ１０４は、記憶テープ２８への任意の前のアクセス（さらにそのため記憶テープ２８上の情報へのアクセス）を表す実行記録を検討することにより、任意の前のカートリッジ２０活動の日時を監視することができる。ユーザ１０４が実行記録の検討後に記憶テープ２８が不正アクセスされたと判断した場合には、ユーザ１０４には記憶テープ２８に記憶されたデータが汚染された、またはセキュリティの侵害が生じた恐れがあることが警告される。そのため実行記録は記憶テープ２８アクセスに対する安全性およびセキュリティチェックとして機能する。
【００３４】
センサを有するデータ記憶カートリッジおよび実行記録を生成するメモリモジュールの特定の実施形態について図示するとともに本明細書で説明してきたが、当業者には本発明の範囲から逸脱することなく様々な代替および／または同等の実施を図示および説明した特定の実施形態に置き換え得ることは理解されよう。これを念頭に置くと本出願はメモリモジュールと少なくとも１つのセンサとを有するデータ記憶カートリッジのいかなる適応例または変形例も網羅することを意図するものである。そのため本発明は特許請求の範囲およびその同等物によってのみ限定されるものであることを意図するものである。
【図面の簡単な説明】
【００３５】
【図１】本発明の一実施形態によるメモリモジュールおよびセンサを示すデータ記憶テープカートリッジの斜視分解図である。
【図２】図１に示すメモリモジュールおよびセンサを含む第２の筐体部の平面図である。
【図３】本発明の一実施形態によるメモリモジュールおよびそこから延びる電気コネクタ７８の平面図である。
【図４】本発明の一実施形態によるデータ記憶テープカートリッジのメモリモジュールに記憶された改ざんおよび損傷記録データにアクセスする読取り装置を示すシステムである。
【符号の説明】
【００３６】
２０（単一リールデータ記憶テープ）カートリッジ
２２筐体
２４ブレーキアセンブリ
２６テープリールアセンブリ
２８記憶テープ
３０メモリモジュール
３２センサ
３３電源
３４始端
３６始端ブロック
４０第１の筐体部
４２第２の筐体部
４４閉鎖領域
４６角部
４８（テープアクセス）窓
５０中心開口
５２ブレーキ本体
５４ばね
５６ブレーキインターフェース
６０ハブ
６２上部フランジ
６４下部フランジ
６６電気リード線
７０ドアセンサ
７２テープ回転センサ
７４温度センサ
７６加速センサ
７８電気コネクタ
９０バッキング
９２メモリチップ
９４アンテナ
１００システム
１０２読取り装置
１０４ユーザ
【図１】
2006114211.tif 000003
【図２】
2006114211.tif 000004
【図３】
2006114211.tif 000005
【図４】
2006114211.tif 000006
【外国語明細書】
2006114211.tif 000007
2006114211.tif 000008
2006114211.tif 000009
2006114211.tif 000010
2006114211.tif 000011
2006114211.tif 000012
2006114211.tif 000013
2006114211.tif 000014
2006114211.tif 000015
2006114211.tif 000016
2006114211.tif 000017
2006114211.tif 000018
2006114211.tif 000019
2006114211.tif 000020
2006114211.tif 000021
2006114211.tif 000022
2006114211.tif 000023
2006114211.tif 000024
2006114211.tif 000025
2006114211.tif 000026
2006114211.tif 000027